(57)【要約】本発明は、老眼の矯正に有用なレンズとそのような設計を含むレンズの設計方法、およびこれらのレンズの製造方法を提供する。本発明によるレンズでは、多焦点領域における近視野用屈折力と遠視野用屈折力の分配が改善され、このため視力と装着者の満足度が改善される。【特許請求の範囲】
【請求項１】
１以上の多焦点屈折力領域を有する視力補正領域を備え、多焦点屈折力領域の位置、大きさ、幅は、以下の等式によって決定され、
【数１】
2005500569.tif 000006
ここで、
Ｙは表面上の任意の点ｘにおける付加力；
ｘはレンズ表面上の点；
ａは０．５；
ｋは屈折力領域において屈折力が最大である点；
Ｐは約０より大きく、約１５より小さい；
Ｓは約０より大きく、約３０より小さい；
Ａｄｄは、レンズの近視野用屈折力と遠視野用屈折力との差異に等しい、またはそれより小さい値である多焦点眼用レンズ。
【請求項２】
レンズはソフトコンタクトレンズであることを特徴とする請求項１記載のレンズ。
【請求項３】
多焦点屈折力領域がレンズの前面上に存在し、レンズの背面は円柱面屈折力を備えることを特徴とする請求項２記載のレンズ。
【請求項４】
少なくとも１つの近視野用屈折力と少なくとも１つの遠視野用屈折力とを備えた視力補正領域を備え、遠視野用屈折力と近視野用屈折力との間の変化率と屈折力変化の外郭は、
屈折力(Power)＝Ａ−（（１−Ｐ）ｘ）＊Ａ      （ＩＩ）
および
屈折力＝（（１−Ｐ）ｘ）＊Ａ                  （ＩＩＩ）
からなる群から選択される等式に基づいて決定され、
ここでは、
Ａは付加力、
Ｐは０から１までの値、
Ｘは０より大きい多焦点眼用レンズ。
【請求項５】
レンズはソフトコンタクトレンズであることを特徴とする請求項４記載のレンズ。
【請求項６】
多焦点屈折力領域がレンズの前面上に存在し、レンズの背面は円柱面屈折力を備えることを特徴とする請求項４記載のレンズ。
【請求項７】
等式が、
屈折力(Power)＝Ａ−（（１−Ｐ）ｘ）＊Ａ
であることを特徴とする請求項４、請求項５、請求項６のうちいずれか１項記載のレンズ。
【請求項８】
等式が、
屈折力＝（（１−Ｐ）ｘ）＊Ａ
であることを特徴とする請求項４、請求項５、請求項６のうちいずれか１項記載のレンズ。
【請求項９】
Ｘが１より大きいことを特徴とする請求項７記載のレンズ。
【請求項１０】
Ｘが２、Πまたは２Πであることを特徴とする請求項９記載のレンズ。
【請求項１１】
Ｘが１より大きいことを特徴とする請求項８記載のレンズ。
【請求項１２】
Ｘが２、Πまたは２Πであることを特徴とする請求項１１記載のレンズ。
【請求項１３】
少なくとも１つの近視野用屈折力と少なくとも１つの遠視野用屈折力とを備えた視力補正領域を備え、遠視野用屈折力と近視野用屈折力との間の変化率と屈折力変化の外郭は、
屈折力＝Ａ−｜Ｓｉｎ（ｔ）ｘ｜＊Ａ          （ＩＶ）
および
屈折力＝｜Ｓｉｎ（ｔ）ｘ｜＊Ａ              （Ｖ）
からなる群から選択される等式に基づいて決定され、
ここでは、
Ａは付加力、
ｔは９０度から１８０度の瞳孔分数、
Ｘは０より大きい多焦点眼用レンズ。
【請求項１４】
レンズはソフトコンタクトレンズであることを特徴とする請求項１３記載のレンズ。
【請求項１５】
多焦点屈折力領域がレンズの前面上に存在し、レンズの背面は円柱面屈折力を備えることを特徴とする請求項１３記載のレンズ。
【請求項１６】
等式が、
屈折力＝Ａ−｜Ｓｉｎ（Ｐ）ｘ｜＊Ａ
であることを特徴とする請求項１３、請求項１４、請求項１５のうちいずれか１項記載のレンズ。
【請求項１７】
等式が、
屈折力＝｜Ｓｉｎ（Ｐ）ｘ｜＊Ａ
であることを特徴とする請求項１３、請求項１４、請求項１５のうちいずれか１項記載のレンズ。
【請求項１８】
Ｘが１より大きいことを特徴とする請求項１６記載のレンズ。
【請求項１９】
Ｘが２、Πまたは２Πであることを特徴とする請求項１８記載のレンズ。
【請求項２０】
Ｘが１より大きいことを特徴とする請求項１７記載のレンズ。
【請求項２１】
Ｘが２、Πまたは２Πであることを特徴とする請求項２０記載のレンズ。
【発明の詳細な説明】
【技術分野】
【０００１】
本発明は、眼用レンズに関するものである。特に、本発明は１以上の光学屈折力または焦点距離を利用する、老眼の矯正に有用なレンズを提供するものである。
【背景技術】
【０００２】
それぞれの年齢に応じて、眼は観察者に対して比較的近くに存在する対象物に焦点を合わせるように生来のレンズを調整したり屈折させたりすることができなくなる。このような状態は老眼として知られている。また、生来のレンズを取り除き置換品として眼内レンズを挿入している人には、上記の調整能力は全くない。
【発明の開示】
【発明が解決しようとする課題】
【０００３】
このような眼の調整機能の欠如を補正するために使用される方法には、単一視力系（mono-vision system）があり、これによると、人は１つのコンタクトレンズを遠方視力用として、１つのレンズを近方視力用として装着する。この単一視力系によって、レンズの装着者は遠方の物、近方の物を共に識別できるようになるが、深さに関する認識結果においてはかなりの喪失があるという不利益がある。
【０００４】
別のタイプの多焦点型コンタクトレンズでは、各レンズの視力補正領域には１以上の屈折力が与えられている。例えば、視力補正領域は眼が同時に使用する遠用屈折力と近用屈折力とを共に有してもよい。
【課題を解決するための手段】
【０００５】
これらの方法では、視力およびレンズ装着者の満足度という観点で、どちらもよい結果を得られていない。したがって、装着者の調整機能の不全を矯正するとともに、従来のレンズのいくつか、またはすべての不利益を克服するレンズが要求されている。
【発明の効果】
【０００６】
この発明によれば、レンズ装着者の調整機能の不全を矯正することができると共に、装着者の満足度が得られるという効果がある。
【発明を実施するための最良の形態】
【０００７】
本発明は、老眼の矯正に有用なレンズとそのような設計を含むレンズの設計方法、およびこれらのレンズの製造方法を提供する。ある実施の形態では、本発明による方法によって、近視野用屈折力(near vision power)および遠視野用屈折力(distance vision power)を含む多焦点領域(multifocal zones)が、大きさ、位置、幅に関して変更されることが可能である。この変更の結果、多焦点領域内における遠視野用屈折力および近視野用屈折力がよりよく分配でき、このため視力と装着者の満足度が改善される。
【０００８】
ある実施の形態では、本発明は、視力補正領域を含む、または本質的に構成される、または構成される多焦点眼用レンズ(multifocal ophthalmic lens)を提供し、視力補正領域は、この領域のための位置、大きさ、幅が次の等式で決定される１以上の多焦点屈折力領域(multifocal power zones)を含む、または本質的に構成される、または構成される。
【数１】
2005500569.tif 000002
ここで、
Ｙは表面上の任意の点ｘにおける付加屈折力(Add power)；
ｘはレンズ表面上の点；
ａは０．５；
ｋは屈折力領域において屈折力が最大である点；
Ｐは屈折力領域の幅を制御する係数であって、約０より大きく、約１５より小さい；
Ｓは上記領域の幅およびその外縁における段階的な減少を制御する係数であって、約０より大きく、約３０より小さい；
Ａｄｄは、レンズの近視野用屈折力と遠視野用屈折力との差異に等しい、またはそれより小さい値である。
【０００９】
本発明の目的において、「眼用レンズ」とは、コンタクトレンズ、眼内レンズ等を意味する。好ましくは、本発明のレンズはコンタクトレンズである。「位置」とは、瞳を基準とする屈折力領域の位置を意味する。「大きさ」とは、屈折力領域内における屈折力の進行の広がりまたは範囲を意味する。「遠視野用屈折力」とは、装着者の遠視力を所望の程度まで矯正するように求められる屈折力の量である。「近視野用屈折力」とは、装着者の近視力を所望の程度まで矯正するように求められる屈折力の量である。
【００１０】
本発明のレンズにおいて、多焦点屈折力領域は、対象物側の面、前面、眼側の面、裏面または両面に存在してもよい。多焦点屈折力領域は、遠視野用屈折力と近視野用屈折力との間で交互に屈折力が変化する少なくとも２つの領域を有し、また好ましくは遠視野用屈折力、近視野用屈折力および中間視野用屈折力との間で交互に変化する３つの領域を備える。各遠視野用屈折力の領域と近視野用屈折力の領域は、他の遠視野用の領域および近視野用の領域と同一または異なる屈折力であってもよい。中間屈折力は、近視野用の領域の最大屈折力と遠視野用の領域の最大屈折力との間の屈折力の進行の結果として与えられてもよい。また、中間屈折力の領域は、等式Ｉを利用して設計されてもよい。
【００１１】
多焦点屈折力領域は、レンズの視力補正領域内の任意の点に存在してもよい。多焦点屈折力領域は共軸であり、共通の軸はＺ軸であって好ましくは回転対称である。本発明のレンズにおいて、遠視野用屈折力、近視野用屈折力、中間視野用屈折力は、球状屈折力または円環状屈折力である。さらに、遠視野用屈折力の領域、近視野用屈折力の領域、中間視野用屈折力の領域は、任意の所望の実践的な大きさでもよい。
【００１２】
図１には、４つの異なる多焦点屈折力領域を有する設計における屈折力の進行について図式的に示されている。各設計において、近視野用屈折力は領域の中央に存在し、遠視野用屈折力は領域の外縁またはその周辺に存在する。外縁とは、領域の中央から最も遠い領域を意味する。各設計において等式Ｉで使用された値が次の表１に記載される。
【表１】
2005500569.tif 000003
【００１３】
図２には、５つの屈折力領域を有する多焦点屈折力領域における屈折力の進行について図式的に示されている。図２に示すような合成設計は、以下のような２つのケースにおいて等式Ｉを用いることによって生じた値の合計を利用することによって実現される。
【表２】
2005500569.tif 000004
【００１４】
このような合成設計を使用することによって、次のような特徴を有する多焦点屈折力領域を生成する簡単な方法が提供される。すなわち、レンズの幾何的中心部に最も近い領域を意味する内部屈折力領域の特徴が、その外部領域または外縁領域の特徴と異なるものである。
【００１５】
図３には、多領域合成設計の屈折力の進行について図式的に示されている。多領域合成設計では、一方の近視野用屈折力の領域における付加（Add）が他方のそれと異なっている。合成設計は、以下のような２つのケースにおいて等式Ｉを用いることによって生じた値の合計を利用することによって実現された。
【表３】
2005500569.tif 000005
【００１６】
この設計の利点は、近視野用屈折力が視力補正領域の外縁部分において減少するために、レンズ装着者の夜間の視力を改善しうる結果をもたらすことである。
【００１７】
本発明の別の実施の形態において、レンズの設計方法、およびこの方法により製造されるレンズが提供される。ここでは、遠視野用屈折力から近視野用屈折力へ、また近視野用屈折力から遠視野用屈折力への変化率および屈折力変化の外郭が変化される。この実施の形態において、本発明は、近視野用屈折力および遠視野用屈折力を含む、または本質的に構成される、または構成される多焦点眼用レンズを含む、または本質的に構成される、または構成される。ここでは、遠視野用屈折力と近視野用屈折力との間の変化率および屈折力変化の外郭は、
屈折力(Power)＝Ａ−（（１−Ｐ）ｘ）＊Ａ      （ＩＩ）
および
屈折力＝（（１−Ｐ）ｘ）＊Ａ                  （ＩＩＩ）
からなる群から選択される等式に基づいて決定される。
ここで、
Ａは付加屈折力、
Ｐは０から１までの瞳孔分数（pupil fraction）、
Ｘは０より大きく、好ましくは１より大きく、より好ましくは２、Πまたは２Πである。
【００１８】
等式ＩＩおよびＩＩＩの目的のために、Ｐは以下のように決定される。最大および最小の瞳孔直径は、最小から最大まで間隔を置いて段階的に選択される。選択される段階的な間隔は設計者の裁量であるが、好ましくはレンズの製造の促進に適したもの、例えば、コンピュータによる数値制御旋盤によるものである。最大の直径から、全直径のパーセンテージＰが決定される。
【００１９】
等式ＩＩは、遠視野用屈折力を視力補正領域の中央に形成し、近視野用屈折力を視力補正領域の外縁に形成する設計を意味する中央遠視野用レンズの設計に使用される。等式ＩＩＩは中央近視野用レンズの設計、すなわち近視野用屈折力を中央に形成し、遠視野用屈折力を外縁に形成するレンズの設計に使用される。
【００２０】
また、本発明のさらに別の実施の形態において、遠視野用屈折力から近視野用屈折力へ、また近視野用屈折力から遠視野用屈折力への変化率および屈折力変化の外郭は、以下の等式のうちの１つを用いて変化される。
屈折力＝Ａ−｜Ｓｉｎ（ｔ）ｘ｜＊Ａ          （ＩＶ）
および
屈折力＝｜Ｓｉｎ（ｔ）ｘ｜＊Ａ              （Ｖ）
【００２１】
ここで、Ａは付加屈折力、
ｔは９０度から１８０度までの瞳孔分数、
Ｘは０より大きく、好ましくは１より大きく、さらに好ましくは２、Πまたは２Πである。
【００２２】
等式ＩＶおよびＶの目的のために、ｔは最大および最小の瞳孔直径を選択することによって決定される。直線的な間隔としては、最小直径は９０度に設定され、最大直径は１８０度に設定される。
【００２３】
等式ＩＶは、中央遠視野用の設計に使用され、等式Ｖは中央近視野用の設計のレンズに使用される。したがって、さらに別の実施の形態において、本発明は、近視野用屈折力および遠視野用屈折力を含む、または本質的に構成される、または構成される視力補正領域を含む、または本質的に構成される、または構成される多焦点眼用レンズを提供する。ここでは、遠視野用屈折力と近視野用屈折力との間の変化率および屈折力変化の外郭は、
屈折力＝Ａ−｜Ｓｉｎ（ｔ）ｘ｜＊Ａ          （ＩＶ）
および
屈折力＝｜Ｓｉｎ（ｔ）ｘ｜＊Ａ              （Ｖ）
からなる群から選択される等式に基づいて決定される。
ここで、
Ａは付加屈折力、
ｔは９０度から１８０度までの瞳孔分数、
Ｘは０より大きく、好ましくは１より大きく、より好ましくは２、Πまたは２Πである。
【００２４】
図４は、種々の設計の屈折力の進行を図式的に表している。設計Ａから設計Ｄは等式ＩＩＩを用いて計算され、設計Ｅから設計Ｇは等式Ｖを用いて計算される。両等式は同一の間隔（０，１）をたどり、同一の値（Ａと０）で開始および終了する。しかしながら、Ｓｉｎ（ｔ）は直線関数ではないので、生じる進行率は異なる。したがって、一方の等式を他方の代わりに使用することによって、与えられた瞳孔サイズに対する付加屈折力の合計を、等式ＩＩおよびＩＶに類似するように変化させることができる。
【００２５】
本発明による設計は、ハードコンタクトレンズまたはソフトコンタクトレンズを製造するときに有用である。レンズを製造するのに適した任意の材料によって生成されるソフトコンタクトレンズが使用されるのが好ましい。本発明のレンズは、例えば、円柱面屈折力等の遠視野および近視野の光学屈折力に加えて上記の各表面上に組み込まれる多数の種々の矯正的な光学特性の任意のものを有することができる
【００２６】
本発明の各レンズは任意の従来的な方法により形成できる。例えば、本発明の中で形成される多焦点領域は、交互に変化する半径によるダイアモンド旋削（diamond-turning）により製造できる。これらの領域は本発明のレンズを形成するために使用する金型の中にダイアモンド旋削により形成できる。これに続いて、適当な液体樹脂をこれらの金型の中に入れてから樹脂を圧縮して硬化することにより本発明のレンズ が形成できる。あるいは、上記の領域はダイアモンド旋削によりレンズ・ボタン（lens buttons）の形態にすることも可能である。
【図面の簡単な説明】
【００２７】
【図１】本発明に基づいて設計された、幅を変化させた多焦点視野屈折力領域における屈折力の進行の図式表現である。
【図２】本発明に基づいて設計された、５つの屈折力領域を含む設計の図式表現である。
【図３】本発明に基づく５つの屈折力領域を含む設計の図式表現である。
【図４】本発明に基づいて設計された、４つの多焦点屈折力領域における屈折力の進行の図式表現である。
【図１】
2005500569.tif 000007
【図２】
2005500569.tif 000008
【図３】
2005500569.tif 000009
【図４】
2005500569.tif 000010
【国際公開パンフレット】
2005500569.tif 000011
2005500569.tif 000012
2005500569.tif 000013
2005500569.tif 000014
2005500569.tif 000015
2005500569.tif 000016
2005500569.tif 000017
2005500569.tif 000018
2005500569.tif 000019
2005500569.tif 000020
2005500569.tif 000021
2005500569.tif 000022
2005500569.tif 000023
2005500569.tif 000024
2005500569.tif 000025
2005500569.tif 000026
2005500569.tif 000027
2005500569.tif 000028
2005500569.tif 000029
【国際公開パンフレット（コレクトバージョン）】
2005500569.tif 000030
2005500569.tif 000031
2005500569.tif 000032